(57)【要約】【課題】跳ね上げ門扉における門扉本体のスムーズな開閉のためにその開閉機構と門扉本体との重量バランスを容易に確保し得るようにする。【解決手段】門扉本体にバランサー１２を設置するとともにこのバランサー１２を０．５ｋｇの共通重量とした多数の帯状プレートによる分割バランサー１３によって構成して，これらを門扉本体２幅方向両端の縦框７外側面にボルト１６によって重合固定してバランサーカバー１７によって被覆カバーするようにし，跳ね上げ門扉Ａの設置に際して支柱内に設置した開閉機構との重量バランスを確保するようにこの分割バランサー１３の追加や除去を行うようにする。【選択図】　　　　図４
2004052311.tif 000002
【特許請求の範囲】
【請求項１】
門扉本体の幅方向両端部にバランサーを配置するとともに該バランサーをそれぞれ分割多数にして幅方向両端部に着脱自在に同重量同数配置した多数の分割バランサーとしてなることを特徴とする跳ね上げ門扉。
【請求項２】
上記多数の分割バランサーを，門扉本体の縦框に設置固定することによって上記幅方向両端部に配置するとともに縦框に配置したバランサーカバーによって被覆してなることを特徴とする請求項１に記載の跳ね上げ門扉。
【請求項３】
上記多数の分割バランサーを，同一の重量に形成してなることを特徴とする請求項１又は２に記載の跳ね上げ門扉。
【請求項４】
上記多数の分割バランサーを，厚肉金属の帯状プレートによって形成してなることを特徴とする請求項１，２又は３に記載の跳ね上げ門扉。
【発明の詳細な説明】
【０００１】
【発明の属する技術分野】
本発明は，一般にカーポートスペースの正面に設置使用する跳ね上げ門扉に関する。
【０００２】
【従来の技術】
この種跳ね上げ門扉は，門扉本体の幅方向両端上方位置を左右の支柱に回動自在に連結した回動アームと，該回動アームと傾斜するように同じく支柱と門扉本体両端中間位置を回動自在に連結した規制アームとによって，門扉本体を前方位置と上方位置で回動してその跳ね上げ開閉を行うものとされ，このとき支柱にはコイルスプリング乃至オイルダンパー等の開閉緩衝乃至補助を行う開閉機構を配置して門扉本体の跳ね上げ開閉をスムーズ且つ緩衝状態になし得るようにしてあり，また門扉本体は上下左右の框と該框内に配置した格子，メッシュ等適宜なデザインの仕切面とによって形成されたものとされている。
【０００３】
【発明が解決しようとする課題】
この種跳ね上げ門扉の門扉本体は，その幅寸法や高さ寸法によって，その仕切面体のデザインや材質によってその重量が相違することになるところ，上記支柱に設置される開閉機構によるスムーズ且つ緩衝状態の跳ね上げ開閉には，該機構における引張乃至圧縮等の強さと跳ね上げ開閉する門扉本体の重量とのバランスが取れていることが必要となる。
【０００４】
このとき，例えば支柱を共通に使用して門扉本体の寸法，デザイン等を変化するようにすると，門扉本体の重量が変化することによって上記開閉機構との重量バランスが失なわれる結果，門扉本体の跳ね上げ開閉が重くなったり，開閉衝撃が強くなったりする傾向を生じ，これを解決するには開閉機構の強さ又は門扉本体の重量のいずれかのバランス確保のための措置が必要である。
【０００５】
本発明はかかる事情に鑑みてなされたもので，その解決課題とするところは，門扉本体の重量を簡易且つ確実に調整し得るようにすることによって開閉機構との重量バランスを確保し得るようにした跳ね上げ門扉を提供するにある。
【０００６】
【課題を解決するための手段】
上記課題に添って本発明は，門扉本体の幅方向両端に多数の分割バランサーを着脱自在に同重量同数配置するようにして，門扉本体の重量に応じて分割バランサーの追加や除去を行うことによって門扉本体の幅方向のバランスを含めて開閉機構との重量バランスを確保し得るようにしたものであって，即ち請求項１に記載の発明を，門扉本体の幅方向両端部にバランサーを配置するとともに該バランサーをそれぞれ分割多数にして幅方向両端部に着脱自在に同重量同数配置した多数の分割バランサーとしてなることを特徴とする跳ね上げ門扉としたものである。
【０００７】
請求項２に記載の発明は，上記に加えて，門扉本体に対する多数の分割バランサーの配置を，その縦框に対して行うようにすることによって，簡易にして納まりと外観の良い分割バランサーの配置を可能とするように，これを，上記多数の分割バランサーを，門扉本体の縦框に設置固定することによって上記幅方向両端部に配置するとともに縦框に配置したバランサーカバーによって被覆してなることを特徴とする請求項１に記載の跳ね上げ門扉としたものである。
【０００８】
請求項３に記載の発明は，同じく上記に加えて，分割バランサーの追加や除去を容易化するとともに分割バランサーの可及的な共通化を図ることができるように，これを，上記多数の分割バランサーを，同一の重量に形成してなることを特徴とする請求項１又は２に記載の跳ね上げ門扉としたものである。
【０００９】
請求項４に記載の発明は，同じく上記に加えて，分割バランサーを，バランサーの重量に対して可及的に薄い形態とするように帯状のプレートとすることによってその設置スペースを小さくしてバランサーの設置によって門扉本体の外観を損なうのを防止するように，上記多数の分割バランサーを，厚肉金属の帯状プレートによって形成してなることを特徴とする請求項１，２又は３に記載の跳ね上げ門扉としたものである。
【００１０】
【発明の実施の形態】
以下図面の例に従って本発明を更に具体的に説明すれば，Ａは跳ね上げ門扉であり，該跳ね上げ門扉Ａは，一対の支柱１と，門扉本体２と，上記一対の支柱１と門扉本体２を連結し該門扉本体２をその前方位置と上方位置間で跳ね上げ開閉自在とする回動アーム３及びその下位の規制アーム４と，上記一対の支柱１に内蔵配置し門扉本体２の跳ね上げ開閉を補助乃至緩衝するコイルスプリング，オイルダンパー等の図示省略の開閉機構を備えたものとしてある。
【００１１】
門扉本体２は，上下の横框５と左右の縦框７とを框組みし，該框組み内に仕切面を配置したものとしてあり，本例にあって該仕切面は，上記框組みに，例えば横格子，縦格子等の仕切桟１１を設置したものとしてある。
【００１２】
門扉本体２は，その幅方向両端部にバランサー１２を配置したものとしてあり，これによって上記開閉機構との重量バランスを確保してそのスムーズ且つ緩衝状態の跳ね上げ開閉を行うようにしてあり，このとき該バランサー１２は，これを，それぞれ分割多数にして幅方向両端部に着脱自在に同重量同数配置した多数の分割バランサー１３としてある。
【００１３】
本例にあって多数の分割バランサー１３は，門扉本体２の縦框７に設置固定することによって上記幅方向両端部に配置するとともに縦框６に配置したバランサーカバー１７によって被覆したものとしてあり，このとき本例の上記多数の分割バランサー１３は，これを，同一の重量に形成してあり，また厚肉金属の帯状プレートによって形成してある。
【００１４】
即ち分割バランサー１３は，例えば重さを０．５ｋｇ（設計上は数％の誤差を許容している）とした同一の重量に共通化し，長さを縦框７と同等乃至短尺とし，幅を縦框７より幾分細めとした上下に帯状をなす帯状プレートによるものとしてあり，本例にあっては，例えば鋼製の厚肉板を所定寸法に切断し又はこれに加工を施したものとしてある。
【００１５】
本例の分割バランサー１３は，門扉本体２の幅方向両端の縦框７に，上記帯状プレートをそれぞれ４枚の同数配置し，それぞれ０．５ｋｇ単位で合計重量を２ｋｇと同一重量をなすようにしてあり，このうち両端合計の最大８枚とゼロ枚との間で，必要な枚数を残して，不要な枚数の分割バランサー１３を取り除くように，その追加や除去を行うことによって，両端で２枚の１ｋｇを単位とする０〜４ｋｇの５段階の重量調整をなし得るようにしてあり，例えば門扉本体２の５ｋｇ程度の重量変化に対応して，上記開閉機構との重量バランスを確保し得るようにしてあり，本例にあっては出荷時に両端の縦框７に各４枚の分割バランサー１３を配置し，跳ね上げ門扉Ａ設置時に現場で不要分を抜取り除去するようにするものとしてある。
【００１６】
このとき本例の分割バランサー１３である帯状プレートは縦框７に重合固定することによって該縦框７に設置固定したものとしてあり，本例にあって上記帯状プレートの重合固定は，縦框７両端の外側面にそれぞれ同数の帯状プレートを重合して配置するとともに，長手方向上下端部に透設した固定孔１４にボルト１６を挿通し，該ボルト１６による引掛け支持によって縦框７に吊り支持するように締着することによってそのボルト１６締着による縦框７への添設固定を行うようにしてある。
【００１７】
縦框７に重合固定した帯状プレートは，その多数枚のうち縦框側の１枚において，その長手方向上下端をＬ字状に折曲した折曲片１５を備えたプレートとする一方，その余のものにおいては該折曲片１５を備えないフラットなプレートとしてあり，上記縦框側１枚の折曲片１５を縦框７の上下に透設した受孔８に挿入することによって該１枚の帯状プレートを縦框７に引掛け支持してこれに密接するように配置し，上記重合固定に際して該１枚の帯状プレートが縦框７に揺動したりすることなく密着固定するようにするとともにこれに重合する他の帯状プレートを安定支持する支持ベースをなして，上記ボルト１６締着による添設の重合固定を安定してなし得るようにしてある。
【００１８】
縦框７に設置固定した帯状プレートは，バランサーカバー１７を縦框７に配置することによってこれを被覆するものとしてあり，該バランサーカバー１７は，例えば縦框７の外側面との間に上記帯状プレートを被覆するバランサー収納部２０を形成するように，縦框７に着脱自在乃至開閉自在に設置してあり，本例にあってバランサーカバー１７は，例えば断面コ字状をなす縦框７と略同長の枠材を用いて，その先端に形成した係合突条を縦框７の前後端の受溝に係合して，例えばバランサーカバー１７側から縦框７に螺装したネジ１９によって縦框７に着脱自在に設置してあり，該ネジ１９操作を行ってバランサーカバー１７を着脱することによってバランサー収納部２０を開放して分割バランサー１３の追加や除去をなし得るようにしてある。
【００１９】
図中６は門扉本体２の降下時に横框５が車両等に接触することによって傷を生じるのを防止するように下方の横框５に設置したクッション材，９は框組みのネジ，２１は縦框７と上記バランサーカバー１７の長手方向端部を閉塞するようにこれらに設置したキャップをそれぞれ示す。
【００２０】
このように形成した本例の跳ね上げ門扉Ａは，その門扉本体２の幅方向両端に多数の分割バランサー１３を着脱自在に同重量同数配置するようにして，門扉本体２の重量に応じて分割バランサー１３の追加や除去を行うことによって門扉本体２の幅方向のバランスを含めて開閉機構との重量バランスを確保し得るようにすることができ，これによって門扉本体２のスムーズ且つ緩衝状態の跳ね上げ開閉が可能となる。またこれら分割バランサー１３は，門扉本体２の縦框７に設置固定することによって上記幅方向両端部に配置するとともに縦框に配置したバランサーカバー１７によって被覆したことによって，簡易にして納まりと外観の良い分割バランサー１３の配置を可能とすることができ，多数の分割バランサー１３を，同一の重量に形成したことによって，分割バランサー１３の追加や除去を容易化するとともに分割バランサー１３の可及的な共通化を図ることができ，上記多数の分割バランサー１３を，厚肉金属の帯状プレートによって形成したことによって，バランサー１２の重量に対して可及的に薄い形態とすることによってその設置スペースを小さくしてバランサー１２の設置によって門扉本体２の外観を損なうのを防止することができる。
【００２１】
図示した例は以上のとおりとしたが，門扉本体の幅方向両端部へのバランサーの配置を，門扉本体の横框長手方向端部に又は横框から縦框に至るように配置するようにすること，多数の分割バランサーを異重の重量に形成し又は同一及び異重の混合とするように形成すること，分割バランサーを塊状金属のブロックによって形成すること，バランサーカバーを用いるとき門扉本体乃至その縦框に対して，例えばヒンジ連結することによって，開閉自在に配置するようにすること等を含めて，本発明の実施に当って跳ね上げ門扉，門扉本体，分割バランサー，必要に応じて使用する縦框，バランサーカバー，帯状プレート等の各具体的形状，構造，材質，これらの関係，これらに対する付加等は，上記発明の要旨に反しない限り様々の形態のものとすることができる。
【００２２】
【発明の効果】
本発明は以上のとおりに構成したから，請求項１に記載の発明は，門扉本体の幅方向両端に多数の分割バランサーを着脱自在に同重量同数配置するようにして，門扉本体の重量に応じて分割バランサーの追加や除去を行うことによって門扉本体の幅方向のバランスを含めて開閉機構との重量バランスを確保し得るようにして，門扉本体の重量を簡易且つ確実に調整し得るようにすることによって開閉機構との重量バランスを確保し得るようにした跳ね上げ門扉を提供することができる。
【００２３】
請求項２に記載の発明は，上記に加えて，門扉本体に対する多数の分割バランサーの配置を，その縦框に対して行うようにすることによって，簡易にして納まりと外観の良い分割バランサーの配置を可能とすることができる。
【００２４】
請求項３に記載の発明は，同じく上記に加えて，分割バランサーの追加や除去を容易化するとともに分割バランサーの可及的な共通化を図ることができる。
【００２５】
請求項４に記載の発明は，同じく上記に加えて，分割バランサーを，バランサーの重量に対して可及的に薄い形態とするように帯状のプレートとすることによってその設置スペースを小さくしてバランサーの設置によって門扉本体の外観を損なうのを防止することができる。
【図面の簡単な説明】
【図１】跳ね上げ門扉の側面図である。
【図２】門扉本体の部分横断面図である。
【図３】門扉本体の縦断面図である。
【図４】門扉本体とバランサーとの関係を示す分解斜視図である。
【符号の説明】
Ａ　跳ね上げ門扉
１　支柱
２　門扉本体
３　回動アーム
４　規制アーム
１２　バランサー
１３　分割バランサー
１７　バランサーカバー
【図１】
2004052311.tif 000003
【図２】
2004052311.tif 000004
【図３】
2004052311.tif 000005
【図４】
2004052311.tif 000006